(57)【特許請求の範囲】
【請求項１】
走行機体に連結機構により連結部材を連結し、該連結部材に整畦作業をなす作業機体を備える取付部材を配設し、該取付部材と該連結部材との間に上下位置のガイドレール及びガイドレールに摺動嵌合可能な嵌合部を設けて該取付部材を進行方向に対して側方方向に移動自在に配設し、該取付部材を移動させて、整畦作業時において、作業機体を走行機体の車輪や履帯の配設位置から走行機体の側方位置に突出配置させ、非整畦作業時において、側方に突出した作業機体を走行機体の中央位置に後退させるための移動機構を配設し、該連結部材に該走行機体の動力源から動力を受ける入力軸を配設すると共に取付部材に作業機体の作業機構の駆動源となる出力軸を配設し、該連結部材に入力軸を中心として垂直旋回可能な入側旋回部材を配設し、該取付部材に出力軸を中心として垂直旋回可能な出側旋回部材を配設し、該入側旋回部材と出側旋回部材との間に中間軸を架設し、かつ該入力軸と中間軸との間に入側伝導機構を配設すると共に該出力軸と中間軸との間に出側伝導機構を配設して構成したことを特徴とする整畦機。
【請求項２】
上記作業機体は、旧畦上に土を盛り上げる盛土機構と、畦の上面及び一方側面を整畦可能な回転体状の整畦体と、該整畦体を回転整畦動作させる回転機構とからなることを特徴とする請求項１記載の整畦機。
【請求項３】
上記整畦体の回転軸線を畦の一方側面の側方から畦側へ斜め上方に向かう所定角度の上向き方向に配置して構成したことを特徴とする請求項１又は２記載の整畦機。
【発明の詳細な説明】
【０００１】
【発明の属する技術分野】
本発明は例えば畦の造成作業や修復作業等に用いられる整畦機に関するものである。
【０００２】
【従来の技術】
従来この種の整畦機としては、特開昭５１−１４１２１２号公報、実公昭５１−４７７８５号公報、実開昭５３−１０２４１１号公報、実開昭５３−２０３１６号公報、特開昭５１−１００４０９号公報、実開昭６０−１１９２０９号公報、実開昭６１−１７５９０５号公報、特開昭６１−４７１０３号公報、特開昭６１−２１２２０２号公報、実開昭６２−１５０７号公報、実開昭６１−１５８１０５号公報、実開平３−７９６０５号公報、実開平５−６０２０７号公報に示す構造のものが知られている。
【０００３】
これらの従来構造にあっては、走行機体に連結機構により機枠を上下動可能に連結し、機枠に盛土機構としての旧畦上に土を跳ね上げる回転ロータをその回転軸線を畦造成方向と平行又は交差する方向に設け、機枠に回転ロータの上方及び畦の上方にカバー部材を設け、回転ロータの進行方向後方位置に畦の上面及び畦の一方側面に合わせた形状の整畦体を設け、かつ該走行機体の動力取出軸を駆動源として整畦体を往復畦叩動作させるクランク式又は油圧式の畦叩機構を設け、走行機体を旧畦に沿って走行させ、回転ロータで圃場中の泥土を旧畦上に盛り上げ、この盛土を整畦体の畦叩き動作により叩き付けるようにして構成したものである。
【０００４】
また他の従来構造にあっては、整畦機構として、走行機体の動力取出軸を駆動源として整畦体を振動動作させる振動機構を設けて構成し、旧畦上に盛り上げられた盛土を整畦体の振動動作により締め付けるように構成したものである。
【０００５】
【発明が解決しようとする課題】
しかしながら上記従来構造の場合、走行機体に機枠を左右一対の下部リンク及び上部リンクの各先端部に三点支持状態に枢着連結し、かつ、走行機体の左右一対の油圧アームの上下揺動により各吊下アームを介して下部リンクを上下揺動させることにより整畦機構を上下動自在に連結し、この上下動作により整畦作業姿勢を作業条件等に対応させることはできるものの、進行方向に対して側方方向に移動させ得ない構造であり、これら整畦機構は、走行機体の車輪や履帯の配設位置上から走行機体の側方位置に突出配置されているので、非整畦作業時等においては側方に突出した整畦機構の存在により小回り走行が阻害されたり、側方に偏位した重量により走行機体の運転走行操作の不安定性を招くおそれがあるという不都合を有している。
【０００６】
【課題を解決するための手段】
本発明はこのような不都合を解決することを目的とするもので、本発明のうちで、請求項１記載の発明は、走行機体に連結機構により連結部材を連結し、該連結部材に整畦作業をなす作業機体を備える取付部材を配設し、該取付部材と該連結部材との間に上下位置のガイドレール及びガイドレールに摺動嵌合可能な嵌合部を設けて該取付部材を進行方向に対して側方方向に移動自在に配設し、該取付部材を移動させて、整畦作業時において、作業機体を走行機体の車輪や履帯の配設位置から走行機体の側方位置に突出配置させ、非整畦作業時において、側方に突出した作業機体を走行機体の中央位置に後退させるための移動機構を配設し、該連結部材に該走行機体の動力源から動力を受ける入力軸を配設すると共に取付部材に作業機体の作業機構の駆動源となる出力軸を配設し、該連結部材に入力軸を中心として垂直旋回可能な入側旋回部材を配設し、該取付部材に出力軸を中心として垂直旋回可能な出側旋回部材を配設し、該入側旋回部材と出側旋回部材との間に中間軸を架設し、かつ該入力軸と中間軸との間に入側伝導機構を配設すると共に該出力軸と中間軸との間に出側伝導機構を配設して構成したことを特徴とする整畦機にある。
【０００７】
又、請求項２記載の発明にあっては、上記作業機体は、旧畦上に土を盛り上げる盛土機構と、畦の上面及び一方側面を整畦可能な回転体状の整畦体と、該整畦体を回転整畦動作させる回転機構とからなることを特徴とするものであり、又、請求項３記載の発明は、上記整畦体の回転軸線を畦の一方側面の側方から畦側へ斜め上方に向かう所定角度の上向き方向に配置して構成したことを特徴とするものである。
【０００８】
【発明の実施の形態】
図１乃至図１１は本発明の実施の形態例を示し、１は走行機体であって、この場合トラクタが用いられ、走行機体１の後部に三点リンク式の連結機構２により連結部材３を上下動可能に連結している。
【０００９】
この場合、連結機構２は、走行機体１としてのトラクタの後部の左右下部に一対の下部リンク４・４がピン４ａにより枢着突設され、走行機体１に左右一対の油圧アーム５が作動軸５ａを中心として上下揺動操作自在に突設され、かつ、走行機体１の後部の上部に上部リンク６がピン６ａにより枢着突設され、下部リンク４・４と油圧アーム５との間に吊下アーム７を架設し、しかして、左右一対の下部リンク４・４の先端部にピン４ｂ・４ｂにより連結部材３の下部両側部を枢着連結すると共に上部リンク６の先端部にピン６ｂにより連結部材３の上部を連結し、これら三点支持及び油圧アーム５の上下揺動により連結部材３を上下揺動自在に設けて構成している。
【００１０】
７は取付部材であって、上記連結部材３に配設され、作業機体Ｆを取付可能に構成され、取付部材７は進行方向に対して側方方向に移動自在に配設され、取付部材７を移動させて、整畦作業時において、作業機体Ｆを走行機体１の車輪や履帯の配設位置から走行機体１の側方位置に突出配置させ、非整畦作業時において、側方に突出した作業機体Ｆを走行機体１の中央位置に後退させるための移動機構８を配設している。
【００１１】
この場合、上記連結部材３を四角枠状に形成し、連結部材３の上下位置にそれぞれコ状のガイドレール９・９を進行方向に対して側方方向に開口側を相対向状態に横設し、取付部材７の上下位置にガイドレール９・９に摺動嵌合可能な嵌合部１０・１０を形成し、ガイドレール９・９と嵌合部１０・１０との嵌合により取付部材７を移動自在に設け、上側のガイドレール９に取付板１１を取付けると共に連結部材３の上部にブラケット１２を立設し、ブラケット１２にピン１３を横設し、ピン１３にナット体１４を枢着し、取付板１１に回動自在及び軸線方向に移動不能に螺子軸１５を横設すると共に螺子軸１５をナット体１４に螺着し、螺子軸１５にハンドル１６を取付け、ハンドル１６を正逆回動させることによりナット体１４と螺子軸１５との螺着によって取付部材７を進行方向に対して側方方向に往復移動自在に設けて構成している。
【００１２】
又、上記連結部材３に入力軸１７を軸受１８により横設し、入力軸１７と走行機体１の動力取出軸１９とを自在継手２０により連結し、取付部材７に作業機体Ｆの作業機構の駆動源となる出力軸２１を軸受２２により横設し、連結部材３にチェーンケース状の入側旋回部材２３を軸受１８により入力軸１７を中心として垂直旋回自在に取付け、取付部材７にチェーンケース状の出側旋回部材２４を出力軸２１を中心として軸受２２により垂直旋回可能に取付け、入側旋回部材２３と出側旋回部材２４との先端部間に中間軸２５を架設し、かつ入力軸１７と中間軸２５との間にチェーン機構からなる入側伝導機構２６を配設すると共に出力軸２１と中間軸２５との間にチェーン機構からなる出側伝導機構２７を配設して構成している。
【００１３】
又、この場合、作業機体Ｆは畦Ｗの造成及び修復作業等の整畦作業をなす整畦作業機体として構成している。
【００１４】
この場合、取付部材７の取付部７ａに作業機体Ｆの機枠２８を取付け、機枠２８に回転ロータ状の盛土体２９を備えた盛土機構３０を配設し、この盛土体２９はロータ胴２９ａの外周に複数個の掻上刃２９ｂを突設すると共にロータ胴２９ａに取付軸２９ｃを突設してなり、上記機枠２８に盛土体２９をその回転軸線を畦造成方向と平行にして回転自在に取付け、機枠２８に上記出力軸２１に直結された主軸３１を軸受し、盛土体２９を主軸３１より変向用ギヤ列３１ａ及びチェーン機構３２を介して回転させ、この盛土体２９の回転により畦際の圃場面Ｍの土を削出軌跡Ｎをもって削出して旧畦に向けて跳ね上げて盛り上げるように構成している。
【００１５】
又、この場合上記機枠２８に上記盛土体２９の上方及び畦Ｗの上方を覆う形状のカバー部材３３を取付け、カバー部材３３の畦側に側部カバー部材３４が上下動自在に取り付けている。
【００１６】
又、この場合、作業機構としての整畦機構３５にあっては、回転体状の整畦体３６と回転機構３７とからなり、整畦体３６は畦Ｗの一方側面Ｗ2を整畦可能な外周面３６ａ及び畦Ｗの上面Ｗ1を整畦可能な外周面３６ｂを有すると共に、回転軸線Ｐ1を畦Ｗの一方側面Ｗ1の側方から畦Ｗ側へ斜め上方に向かう所定角度θの上向き方向に配置され、この整畦体３６は回転機構３７により回転軸線Ｐ1を中心として図中矢印方向に強制回転される。
【００１７】
この場合、上記機枠２８に取付枠３８を取付け、取付枠３８にブラケット３９を突設し、ブラケット３９に軸受筒４０を取付け、この軸受筒４０に駆動軸４１を所定角度θをもって斜め上向き状に回転自在に軸受し、上記機枠２８の後部側面に枠体４２を設け、枠体４２内に歯車機構４３及びチェーン機構４４を内装し、枠体４２の下部に伝導軸４５を横設し、伝導軸４５と駆動軸４１とを伸縮自在な自在継手４６により連結し、この駆動軸４１に整畦体３６の中心に配置したロータ軸３６ｃを連結し、しかして、主軸３１の回転により整畦体３６を図中矢印方向に回転させ、整畦体３６の回転接触により畦Ｗの一方側面Ｗ2を締圧整畦すると共に畦Ｗの上面Ｗ1を締圧整畦するように構成している。
【００１８】
４７は削土機構であって、この場合カバー部材３３に中間軸４８を進行方向前後方向に軸架すると共に保持枠４９を中間軸４８と同心上に上下揺動自在に枢着し、保持枠４９の先端部にロータ軸５０を回転自在に取付け、ロータ軸５０に複数個のナギナタ状の刃体をもつ削土ロータ５１を取付け、主軸３１と中間軸４８との間にチェーン機構５２を掛回すると共に中間軸４８とロータ軸５０との間にチェーン機構５３を架設し、上記盛土機構３０の盛土体２９の進行方向前方位置の旧畦の上面部分を主軸３１により回転する削土ロータ５１によって削出軌跡Ｓをもって回転削土するように構成したものである。
【００１９】
この実施の形態例は上記構成であるから、走行機体１に連結機構２により連結部材３を連結し、連結部材３に配設された取付部材７に整畦作業をなす作業機体Ｆを取付けることになり、この際、移動機構８により取付部材７を進行方向に対して側方方向に移動自在させることができ、かつ、入側旋回部材２３と出側旋回部材２４との間に中間軸２５が架設され、入力軸１７と中間軸２５との間に入側伝導機構２６が配設され、出力軸２１と中間軸２５との間に出側伝導機構２７が配設され、よって、取付部材７の往復移動により、図２及び図５、図６、図７、図８、又は、図９及び図１０、図１１の如く、入側旋回部材２３は入力軸１７を中心として垂直旋回すると共に出側旋回部材２４は出力軸２１を中心として垂直旋回し、これにより取付部材７の移動を許容すると共に入力軸１７と出力軸２１との間を中間軸２５を介して動力伝導を許容することができ、従って、整畦作業をなす作業機体Ｆを作業条件等に対応して進行方向に対して側方方向に移動させることができ、整畦作業時においては、図２及び図５、図６、図７、図８の如く、走行機体１の車輪や履帯の配設位置上から走行機体１の側方位置に突出配置させ、又、非整畦作業時等においては、図９及び図１０、図１１の如く、側方に突出した作業機体Ｆを走行機体１の中央位置に後退させることができ、側方の障害物への衝突を回避して走行機体の小回り走行を可能とすると共に側方に偏位した重量による走行機体の運転走行操作の安定性を高めることができ、さらに、移動機構８及び駆動伝達構造を簡素化することができ、それだけ円滑に作業機体Ｆを移動させることができ、それだけ整畦作業性を高めることができる。
【００２０】
又、この場合、上記作業機体は、旧畦上に土を盛り上げる盛土機構３０と、畦Ｗの上面Ｗ1及び一方側面Ｗ2を整畦可能な回転体状の整畦体３６と、整畦体３６を回転整畦動作させる回転機構３７とからなるので、走行機体を旧畦に沿って走行し、動力取出軸１９を回転すると一方では盛土体２９としての回転ロータが畦際の圃場泥土を旧畦上に連続的に跳ね上げて盛り上げ、カバー部材３３は盛土体２９の上方及び畦側方への泥土飛散を防止し、跳ね上げられた泥土は外方飛散を防がれて自重落下し、他方では走行機体１の動力取出軸１９を駆動源として入力軸１７、入側伝導機構２６、中間軸２５、出側伝導機構２７及び出力軸２１を介して主軸３１が回転駆動され、主軸３１の駆動により整畦機構３５が駆動され、整畦体３６は回転機構３７により回転し、旧畦上に盛り上げられた土は畦Ｗの一方側面Ｗ2を整畦可能な外周面３６ａ及び畦Ｗの上面Ｗ1を整畦可能な外周面３６ｂを有する整畦体３６の回転接触により畦Ｗの一方側面Ｗ2及び畦の上面Ｗ1を締圧整畦することができ、構造を簡素化することができると共に整畦体３６の回転すべり接触により畦Ｗの一方側面Ｗ2及び畦Ｗの上面Ｗ1を円滑に締圧整畦することができ、それだけ良好な整畦作業を行うことができる。
【００２１】
又、この場合、上記整畦体３６の回転軸線Ｐ1を畦Ｗの一方側面Ｗ1の側方から畦Ｗ側へ斜め上方に向かう所定角度θの上向き方向に配置しているので、整畦体３６の外周面３６ａによりなされる畦Ｗの一方側面Ｗ2への土の押し付け送り長さを長くすることができ、それだけ土の締圧を良好なものとすることができると共に整畦体３６の垂直方向の高さを低くすることができ、それだけ装置全体の機高を低くすることができて小型化を図ることができる。
【００２２】
又、この場合、削土機構４７により旧畦面を予め削土でき、この削土された畦面上に盛土機構３０により盛土することになるから、旧畦土と盛土との結着性を高めることができ、それだけ強固な畦を得ることができる。
【００２３】
尚、本発明は上記実施の形態例に限られるものではなく、例えば、盛土機構３０として、畦造成方向に対して交差する方向の回転軸線をもつ回転ロータを採用することもでき、又、上記実施の形態例における整畦体３６を油圧式や偏心ウエイト方式の振動機構により振動させたり、又、クランク方式や油圧方式からなる畦叩き機構により畦叩き運動させる付加構造を採用することもあり、又、整畦体３６を畦Ｗの一方側面Ｗ2を滑り接触回転する下部整畦体と畦Ｗの上面Ｗ1を滑り接触回転する上部整畦体の二分割構造や多分割構造にしたり、整畦体３６の回転軸線Ｐ1を畦に交差する水平軸線方向に配置にする構造にも適用することができ、又、これら整畦体３６を多面角錐形状に形成したり、整畦体３６を偏心運動させ、この偏心運動により畦面を脈動的に押圧する構造を採用することもあり、又、整畦機構３５として、上記整畦体３６に代えて、畦の上面及び一方側面に適合した断面ヘ形状の整畦体をクランク方式や油圧方式からなる畦叩き機構により畦叩き運動させ、又は、油圧式や偏心ウエイト方式の振動機構により振動させて整畦する構造を採用することもできる。
【００２４】
【発明の効果】
本発明は上述の如く、請求項１記載の発明にあっては、取付部材と該連結部材との間に上下位置のガイドレール及びガイドレールに摺動嵌合可能な嵌合部を設けて取付部材を進行方向に対して側方方向に移動自在に設け、取付部材を移動させて、整畦作業時において、作業機体を走行機体の車輪や履帯の配設位置から走行機体の側方位置に突出配置させ、非整畦作業時において、側方に突出した作業機体を走行機体の中央位置に後退させるための移動機構を配設し、この移動機構により該取付部材を移動させることができ、かつ、入側旋回部材と出側旋回部材との間に中間軸が架設され、入力軸と中間軸との間に入側伝導機構が配設され、出力軸と中間軸との間に出側伝導機構が配設され、よって、取付部材の往復移動により、入側旋回部材は入力軸を中心として垂直旋回すると共に出側旋回部材は出力軸を中心として垂直旋回し、これにより取付部材の移動を許容すると共に入力軸と出力軸との間を中間軸を介して動力伝導を許容することができ、従って、整畦作業をなす作業機体を作業条件等に対応して進行方向に対して側方方向に移動させることができ、整畦作業時においては、走行機体の車輪や履帯の配設位置上から走行機体の側方位置に突出配置させ、又、非整畦作業時等においては、側方に突出した作業機体を走行機体の中央位置に後退させることができ、側方の障害物への衝突を回避して走行機体の小回り走行を可能とすると共に側方に偏位した重量による走行機体の運転走行操作の安定性を高めることができ、さらに、移動機構及び駆動伝達構造を簡素化することができ、それだけ円滑に作業機体を移動させることができ、整畦作業性を高めることができる。
【００２５】
又、請求項２記載の発明にあっては、上記作業機体は、旧畦上に土を盛り上げる盛土機構と、畦の上面及び一方側面を整畦可能な回転体状の整畦体と、整畦体を回転整畦動作させる回転機構とからなるので、走行機体を旧畦に沿って走行すると一方では盛土機構は畦際の圃場泥土を盛り上げ、他方では走行機体を駆動源として回転機構が駆動され、整畦体の回転接触により畦の一方側面及び畦の上面を締圧整畦することができ、構造を簡素化することができると共に整畦体の回転接触により畦の一方側面及び畦の上面を円滑に締圧整畦することができ、それだけ良好な整畦作業を行うことができ、又、請求項３記載の発明にあっては、整畦体の回転軸線を畦の一方側面の側方から畦側へ斜め上方に向かう所定角度の上向き方向に配置しているので、整畦体の外周面によりなされる畦の一方側面への土の押し付け送り長さを長くすることができ、それだけ土の締圧を良好なものとすることができると共に整畦体の垂直方向の高さを低くすることができ、それだけ装置全体の機高を低くすることができて小型化を図ることができる。
【００２６】
以上の如く、所期の目的を充分達成することができる。
【図面の簡単な説明】
【図１】  本発明の実施の形態例の全体側面図である。
【図２】  本発明の実施の形態例の平断面図である。
【図３】  本発明の実施の形態例の側面図である。
【図４】  本発明の実施の形態例の拡大側断面図である。
【図５】  本発明の実施の形態例の前断面図である。
【図６】  本発明の実施の形態例の後面図である。
【図７】  本発明の実施の形態例の前面図である。
【図８】  本発明の実施の形態例の前断面図である。
【図９】  本発明の実施の形態例の前断面図図である。
【図１０】  本発明の実施の形態例の部分平断面図である。
【図１１】  本発明の実施の形態例の前断面図である。
【符号の説明】
Ｗ  畦
Ｗ1  上面
Ｗ2  一方側面
Ｐ1  回転軸線
θ  所定角度
Ｆ  作業機体
１  走行機体
２  連結機構
３  連結部材
７  取付部材
８  移動機構
９  ガイドレール
１０  嵌合部
１７  入力軸
２１  出力軸
２３  入側旋回部材
２４  出側旋回部材
２５  中間軸
２６  入側伝導機構
２７  出側伝導機構
３０  盛土機構
３６  整畦体
３７  回転機構
【図１】
0004096275.tif 000002
【図２】
0004096275.tif 000003
【図３】
0004096275.tif 000004
【図４】
0004096275.tif 000005
【図５】
0004096275.tif 000006
【図６】
0004096275.tif 000007
【図７】
0004096275.tif 000008
【図８】
0004096275.tif 000009
【図９】
0004096275.tif 000010
【図１０】
0004096275.tif 000011
【図１１】
0004096275.tif 000012